(57)【要約】【課題】  決済要求を行う端末のネットワークアドレスを用いて安全且つ確実に決済処理を行うことができる電子決済システムを提供する。【解決手段】  本発明の電子決済システムは、決済処理を行う電子決済サーバ１０と、電子決済サーバ１０に決済要求を送信する通信機器である携帯電話２０Ａ及びＰＣ２０Ｂなどの端末と、携帯電話２０Ａ及びＰＣ２０Ｂのプロバイダ４０Ａ，４０Ｂと、電子決済サーバ１０、携帯電話２０Ａ、ＰＣ２０Ｂ及びプロバイダ４０Ａ，４０Ｂを通信可能に接続するネットワーク３０と、を備えている。【選択図】  図１
2004310743.tif 000002
【特許請求の範囲】
【請求項１】
ネットワーク上で決済処理を行う電子決済サーバであって、
端末に固有のネットワーク上のアドレス（ネットワークアドレス）と、当該端末を利用するユーザの口座情報を関連付けて記憶するアドレス記憶手段と、
決済情報に基づいて決済処理を行う決済処理手段と、
を備え、
前記決済処理手段は、端末側から送信された決済要求に含まれるネットワークアドレスが前記アドレス記憶手段に記憶されているか否かを判断し、当該ネットワークアドレスが前記アドレス記憶手段に記憶されている場合、前記決済要求に含まれる決済情報に基づいて決済処理を行う、
ことを特徴とする電子決済サーバ。
【請求項２】
さらに、決済処理を行うための決済用画像、ネットワークアドレスを登録するための登録用画像を端末に提供するためのネットワーク処理手段を備え、
前記ネットワーク処理手段は、端末からのネットワークアドレス登録要求に応じて、当該端末のネットワークアドレスを当該端末に通知する、
ことを特徴とする請求項１記載の電子決済サーバ。
【請求項３】
さらに、ネットワークアドレスの登録完了及び／又は決済処理完了の情報を端末側に電子メールで通知する電子メール処理手段を備える、ことを特徴とする請求項１又は２記載の電子決済サーバ。
【請求項４】
さらに、ユーザの口座情報を記憶する口座情報記憶手段を備え、
前記決済処理手段は、前記口座情報記憶手段に含まれる口座情報と前記決済情報とに基づいて、決済処理を行う、
ことを特徴とする請求項１から３何れか記載の電子決済サーバ。
【請求項５】
決済要求を行う端末と、
前記端末からの決済要求に応じて決済処理を行う電子決済サーバと、
前記端末と前記電子決済サーバを通信可能に接続するネットワークと、
を備える電子決済システムにおいて、
前記端末は、当該端末のネットワークアドレスを含む決済要求を前記電子決済サーバに送信し、
前記電子決済サーバは、前記請求項１から４何れか記載の電子決済サーバである、
ことを特徴とする電子決済システム。
【請求項６】
前記端末は、携帯型の通信装置である、ことを特徴とする請求項５記載の電子決済システム。
【請求項７】
前記端末は、ＰＣ（Ｐｅｒｓｏｎａｌ  Ｃｏｍｐｕｔｅｒ）である、ことを特徴とする請求項５記載の電子決済システム。
【請求項８】
前記ネットワークは、インターネット又はイントラネットである、ことを特徴とする請求項５から７何れか記載の電子決済システム。
【請求項９】
前記ネットワークアドレスは、ネットワーク上の固有又は動的に割り振られたＩＰ（Ｉｎｔｅｒｎｅｔ  Ｐｒｏｔｏｃｏｌ）アドレスである、ことを特徴とする請求項５から８何れか記載の電子決済システム。
【請求項１０】
前記電子決済サーバは、前記端末が前記ネットワーク上での取引の実行時に前記ネットワークアドレスのチェックを行なう、ことを特徴とする請求項５から９何れか記載の電子決済システム。
【請求項１１】
前記電子決済サーバは、前記端末が前記電子決済サーバの決済画面のログイン時に前記ネットワークアドレスのチェックを行なう、ことを特徴とする請求項５から９何れか記載の電子決済システム。
【請求項１２】
前記ネットワークアドレスは、複数のＩＰアドレスである、ことを特徴とする請求項５から１１何れか記載の電子決済システム。
【請求項１３】
前記ネットワークアドレスは、ＩＰアドレスの一部である、ことを特徴とする請求項５から１２何れか記載の電子決済システム。
【請求項１４】
前記ネットワークアドレスは、前記端末が前記ネットワークに接続されている際のＩＰアドレスが自動表示されて登録されたものである、ことを特徴とする請求項５から１３何れか記載の電子決済システム。
【請求項１５】
前記電子決済サーバは、前記ネットワークアドレス以外のアドレスによって行なわれた場合に、当該行為の履歴を記憶する、ことを特徴とする請求項５から１４何れか記載の電子決済システム。
【請求項１６】
電子決済サーバは、前記端末からの要求に応じて、登録されている前記ネットワークアドレスの削除をすることができる、ことを特徴とする請求項５から１５何れか記載の電子決済システム。
【請求項１７】
電子決済サーバは、現在接続されている前記端末の実際のネットワークアドレスが、登録されている前記ネットワークアドレスと同一の場合に、前記端末からの要求に応じて登録されている前記ネットワークアドレスの削除をすることができる、ことを特徴とする請求項１６記載の電子決済システム。
【請求項１８】
電子決済サーバは、前記ネットワークアドレスの確認を、バンキング取引画面へのログイン、口座解約、定期預金の作成、定期預金の解約、自動引落契約の設定、他の口座への請求、及び／又は前記端末との通信がサーバ間通信による取引の場合に行なう、ことを特徴とする請求項５から１６何れか記載の電子決済システム。
【請求項１９】
ネットワーク上で決済処理を行う電子決済方法であって、
（Ａ）端末のネットワークアドレスを当該端末側に通知し、
（Ｂ）前記端末からのアドレス登録要求に応じて、前記ネットワークアドレスとユーザの口座情報を関連付けて登録し、
（Ｃ）端末からの決済要求に応じて、当該端末のネットワークアドレスが登録されている場合に決済処理を行う、
ことを特徴とする電子決済方法。
【請求項２０】
前記ステップ（Ｃ）は、決済要求に含まれる端末のネットワークアドレスと、登録されているネットワークアドレスの全部又は一部が一致する場合に決済を行う、
ことを特徴とする請求項１９記載の電子決済方法。
【請求項２１】
前記ステップ（Ｃ）は、
（Ｃ１）端末から支払金額、ユーザの口座に対応する暗証番号及び支払先の指定情報を決済情報として受け取り、
（Ｃ２）前記支払金額、前記暗証番号、前記支払先の指定情報及び前記端末のネットワークアドレスに対応するユーザの口座情報に基づいて決済処理を行う、
ことを特徴とする請求項１９又は２０記載の電子決済方法。
【請求項２２】
前記ネットワークは、インターネット又はイントラネットである、ことを特徴とする請求項１９から２１何れか記載の電子決済方法。
【請求項２３】
前記ネットワークアドレスは、ネットワーク上の固有又は動的に割り振られたＩＰアドレスである、ことを特徴とする請求項１９から２２何れか記載の電子決済方法。
【請求項２４】
ネットワーク上で決済を行うためのプログラムであって、
前記請求項１から４何れか記載の電子決済サーバの機能を、コンピュータに実現させるためのプログラム。
【請求項２５】
ネットワーク上で決済を行うためのプログラムであって、
前記請求項５から１８何れか記載の電子決済システムの機能を、コンピュータに実現させるためのプログラム。
【請求項２６】
ネットワーク上で決済を行うためのプログラムであって、
前記請求項１９から２３何れか記載の電子決済方法の処理を、コンピュータに実行させるためのプログラム。
【発明の詳細な説明】
【技術分野】
【０００１】
本発明は、インターネットなどのコンピュータネットワーク上で決済処理を行う電子決済システム、電子決済方法及びプログラムに関する。特には、決済要求を行う端末のネットワークアドレスを用いて安全且つ確実に決済処理を行う電子決済サーバ、電子決済システム、電子決済方法及びプログラムに関する。
【背景技術】
【０００２】
従来から、複数のコンピュータを通信回線などによって接続し、データやプログラムなどを複数のコンピュータ同士で蓄積交換したり、データなどを共有するコンピュータ・ネットワーク（以下、単に「ネットワーク」とも言う）が構築されている。
【０００３】
このようなネットワークの方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【０００４】
上述のオープン型ネットワーク方式の代表的なものとして、インターネットがある。このインターネットにおいては、通信プロトコルにＴＣＰ（Ｔｒａｎｓｆｅｒ  Ｃｏｎｔｒｏｌ  Ｐｒｏｔｏｃｏｌ）／ＩＰ（Ｉｎｔｅｒｎｅｔ  Ｐｒｏｔｏｃｏｌ）が採用されており、原則としてこの通信プロトコルを遵守したコンピュータであればネットワークに接続することができる。
【０００５】
近年において、インターネットのような自由なネットワーク環境を背景に、ＷＷＷ（Ｗｏｒｌｄ  Ｗｉｄｅ  Ｗｅｂ）などのマルチメディア環境が整備されてきた。特に、最近では、このインターネットを利用して特定のサービスを行うインターネットビジネス（ｅビジネス）といわれるものが多く提案され運営されている。
【０００６】
このインターネットビジネス（ｅビジネス）においては、ネットワーク上で様々なサービスが存在し、これらのサービスに対する決済処理もネットワーク上で行うことができるようになっている。
【０００７】
例えば、特許公開平成９年第３２６００２号公報には、コンピュータネットワークに接続された決済システムについて記載されている。
【０００８】
この決済システムは、コンピュータネットワーク上に仮想の商店街を構築し、上記商店街を構成する販売店からオンライン上で利用者が希望の商品を購入できるようにすると共に、購入した代金の清算を行うようにしたコンピュータネットワーク上の決済システムであって、購入した商品の代金の清算を行う実銀行に対して、ネットワーク上に仮想銀行を設け、仮想銀行は、利用者毎の仮想口座および販売店毎の仮想口座を有し、利用者が商品を購入した際、仮想銀行は、利用者の仮想口座と販売店の仮想講座との間で仮想の資金移動を行うと共に、代金清算のための自動振替の指示を実銀行に対して行い、この指示に基づき、実銀行は、代金の決済を行うように構築した、ことを特徴とする。
【０００９】
この決済システムによれば、実銀行に対応した仮想銀行をコンピュータネットワーク上に構築し、利用者と仮想店舗の間で、仮の口座振替を行い、この結果を実銀行に通知して、実際の振替処理を行うことによって、ネットワーク上での決済処理を実際の実銀行の決済情報に反映させることができる。
【特許文献１】特許公開平成９年第３２６００２号公報
【発明の開示】
【発明が解決しようとする課題】
【００１０】
しかしながら、上述したような決済システムによれば、万が一決済情報や口座情報が他人に漏洩した場合でも、ネットワーク上に接続できる端末であればどこからでも決済することができるという問題があった。
【００１１】
従って、本発明の目的は、決済要求を行う端末のネットワークアドレスを用いて安全且つ確実に決済処理を行うことができる電子決済サーバ、電子決済システム、電子決済方法及びプログラムを提供することである。
【課題を解決するための手段】
【００１２】
上記課題を解決するため、本発明の電子決済サーバは、ネットワーク上で決済処理を行う電子決済サーバであって、端末に固有のネットワーク上のアドレス（ネットワークアドレス）と、当該端末を利用するユーザの口座情報を関連付けて記憶するアドレス記憶手段と、決済情報に基づいて決済処理を行う決済処理手段と、を備え、決済処理手段は、端末側から送信された決済要求に含まれるネットワークアドレスがアドレス記憶手段に記憶されているか否かを判断し、当該ネットワークアドレスがアドレス記憶手段に記憶されている場合、決済要求に含まれる決済情報に基づいて決済処理を行う、ことを特徴とする。
【００１３】
さらに、決済処理を行うための決済用画像、ネットワークアドレスを登録するための登録用画像を端末に提供するためのネットワーク処理手段を備え、ネットワーク処理手段は、端末からのネットワークアドレス登録要求に応じて、当該端末のネットワークアドレスを当該端末に通知する、ことができる。
【００１４】
さらに、ネットワークアドレスの登録完了及び／又は決済処理完了の情報を端末側に電子メールで通知する電子メール処理手段を備える、こともできる。
【００１５】
さらに、ユーザの口座情報を記憶する口座情報記憶手段を備え、決済処理手段は、口座情報記憶手段に含まれる口座情報と決済情報とに基づいて、決済処理を行う、ことができる。
【００１６】
また、上記課題を解決するため、本発明の電子決済システムは、決済要求を行う端末と、端末からの決済要求に応じて決済処理を行う電子決済サーバと、端末と電子決済サーバを通信可能に接続するネットワークと、を備える電子決済システムにおいて、端末は、当該端末のネットワークアドレスを含む決済要求を電子決済サーバに送信し、電子決済サーバは、上述に記載の電子決済サーバである、ことを特徴とする。
【００１７】
ここで、端末は、携帯型の通信装置であってもよく、ＰＣであってもよい。
【００１８】
また、ネットワークは、インターネット又はイントラネットである、ようにするとよい。
【００１９】
ここで、ネットワークアドレスは、ネットワーク上の固有又は動的に割り振られたＩＰアドレスである、ようにすることができる。
【００２０】
また、電子決済サーバは、端末がネットワーク上での取引の実行時にネットワークアドレスのチェックを行なう、または、端末が電子決済サーバの決済画面のログイン時にネットワークアドレスのチェックを行なう、ことができる。
【００２１】
また、ネットワークアドレスは、複数のＩＰアドレスであってもよく、ＩＰアドレスの一部であってもよい。
【００２２】
また、ネットワークアドレスは、端末がネットワークに接続されている際のＩＰアドレスが自動表示されて登録されたものである、ことができる。
【００２３】
また、電子決済サーバは、ネットワークアドレス以外のアドレスによって行なわれた場合に、当該行為の履歴を記憶する、ことができる。
【００２４】
また、電子決済サーバは、端末からの要求に応じて、登録されているネットワークアドレスの削除をすることができ、さらに、現在接続されている端末の実際のネットワークアドレスが、登録されているネットワークアドレスと同一の場合に、端末からの要求に応じて登録されているネットワークアドレスの削除をすることができる、ようにする。
【００２５】
また、電子決済サーバは、ネットワークアドレスの確認を、バンキング取引画面へのログイン、口座解約、定期預金の作成、定期預金の解約、自動引落契約の設定、他の口座への請求、及び／又は端末との通信がサーバ間通信による取引の場合に行なう、ようにすることができる。
【００２６】
また、上記課題を解決するため、本発明の電子決済方法は、ネットワーク上で決済処理を行う電子決済方法であって、（Ａ）端末のネットワークアドレスを当該端末側に通知し、（Ｂ）端末からのアドレス登録要求に応じて、ネットワークアドレスとユーザの口座情報を関連付けて登録し、（Ｃ）端末からの決済要求に応じて、当該端末のネットワークアドレスが登録されている場合に決済処理を行う、ことを特徴とする。
【００２７】
ここで、ステップ（Ｃ）は、決済要求に含まれる端末のネットワークアドレスと、登録されているネットワークアドレスの全部又は一部が一致する場合に決済を行う、ことができる。
【００２８】
また、ステップ（Ｃ）は、（Ｃ１）端末から支払金額、ユーザの口座に対応する暗証番号及び支払先の指定情報を決済情報として受け取り、（Ｃ２）支払金額、暗証番号、支払先の指定情報及び端末のネットワークアドレスに対応するユーザの口座情報に基づいて決済処理を行う、ことができる。
【００２９】
ここで、ネットワークは、インターネット又はイントラネットである、ようにするとよい。
【００３０】
このとき、ネットワークアドレスは、ネットワーク上の固有又は動的に割り振られたＩＰアドレスである、ようにする。
【００３１】
また、上記課題を解決するため、本発明の第１の態様のプログラムは、ネットワーク上で決済を行うためのプログラムであって、上述に記載の電子決済サーバの機能を、コンピュータに実現させる、ことを特徴とする。
【００３２】
また、上記課題を解決するため、本発明の第２の態様のプログラムは、ネットワーク上で決済を行うためのプログラムであって、上述に記載の電子決済システムの機能を、コンピュータに実現させる、ことを特徴とする。
【００３３】
また、上記課題を解決するため、本発明の第３の態様のプログラムは、ネットワーク上で決済を行うためのプログラムであって、上述に記載の電子決済方法の処理を、コンピュータに実行させる、ことを特徴とする。
【発明の効果】
【００３４】
本発明の決済サーバ、決済システム、決済方法及びプログラムによれば、本発明の電子決済サーバ、電子決済システム、電子決済方法及びプログラムによれば、決済要求を行う端末のネットワークアドレスを用いて決済可能な端末を限定し、安全且つ確実に決済処理を行うことができる。
【００３５】
特に、取引画面で入力されるパスワードや暗証番号等が盗難された場合でも、特定の端末からのネットワークアドレスでのチェックを行なえるため、ユーザの個人情報や銀行取引情報などを安全且つ確実に保護することができる。
【００３６】
また、インターネットなどのオープン型のネットワークにおいてサーバ間取引を行なう際にも有効なセキュリティ強化になる。
【発明を実施するための最良の形態】
【００３７】
以下、図面を参照して本発明の電子決済サーバ、電子決済システム、電子決済方法及びプログラムの実施の形態を説明する。
【００３８】
図１は、本発明の電子決済システムの一形態を示す図である。この電子決済システムは、決済処理を行う電子決済サーバ１０と、電子決済サーバ１０に決済要求を送信する通信機器である携帯電話２０Ａ及びＰＣ（Ｐｅｒｓｏｎａｌ  Ｃｏｍｐｕｔｅｒ）２０Ｂなどの端末（以下、単に「端末２０Ａ，２０Ｂ」ともいう）と、携帯電話２０Ａ及びＰＣ２０Ｂのプロバイダ４０Ａ，４０Ｂと、電子決済サーバ１０、携帯電話２０Ａ、ＰＣ２０Ｂ及びプロバイダ４０Ａ，４０Ｂを通信可能に接続するネットワーク３０と、を備えている。
【００３９】
ここで、ネットワーク３０は、インターネットやイントラネットを利用して構築することができる。
【００４０】
また、端末２０Ａ，２０Ｂは、当該端末のネットワークアドレスを含む決済要求を電子決済サーバ１０に送信する。
【００４１】
ここで、ネットワークアドレスは、ネットワーク３０上の固有又はプロバイダ４０Ａ，４０Ｂから動的に割り振られたＩＰ（Ｉｎｔｅｒｎｅｔ  Ｐｒｏｔｏｃｏｌ）アドレスにするとよい。
【００４２】
また、電子決済サーバ１０は、端末２０Ａ，２０Ｂがネットワーク３０上での取引の実行時にネットワークアドレスのチェックを行なう、または、端末２０Ａ，２０Ｂが電子決済サーバ１０の決済画面のログイン時にネットワークアドレスのチェックを行なう。
【００４３】
また、ネットワークアドレスは、複数のＩＰアドレスであってもよく、ＩＰアドレスの一部であってもよい。
【００４４】
また、ネットワークアドレスは、端末２０Ａ，２０Ｂがネットワーク３０に接続されている際のＩＰアドレスが端末２０Ａ，２０Ｂの画面上に自動表示され、端末２０Ａ，２０Ｂ側からはこの表示されたネットワークアドレスを見ながら登録することができる。
【００４５】
また、電子決済サーバ１０は、端末２０Ａ，２０Ｂからの取引実行や銀行取引画面へのログイン時に、ネットワークアドレス以外のアドレスによって行なわれた場合に、当該行為の履歴を記憶する。
【００４６】
また、電子決済サーバ１０は、端末２０Ａ，２０Ｂからの要求に応じて、登録されているネットワークアドレスの削除をすることができ、さらに、現在接続されている端末２０Ａ，２０Ｂの実際のネットワークアドレスが、登録されているネットワークアドレスと同一の場合に、端末２０Ａ，２０Ｂからの要求に応じて登録されているネットワークアドレスの削除をすることができる。
【００４７】
また、電子決済サーバ１０は、ネットワークアドレスの確認を、決済処理のみならず、端末２０Ａ，２０Ｂからのバンキング取引画面へのログイン、口座解約、定期預金の作成、定期預金の解約、自動引落契約の設定、他の口座への請求、及び／又は端末との通信がサーバ間通信による取引の場合に行なう、ようにすることができる。
【００４８】
図２は、図１に示した電子決済サーバ１０の構成の一例を示す図である。図２において、電子決済サーバ１０は、ネットワーク３０に接続され、通信を制御する通信制御部１１と、決済処理を行うための決済用画像、ネットワークアドレスを登録するための登録用画像を端末２０Ａ，２０Ｂに提供するＷｅｂ処理部１２と、端末２０Ａ，２０Ｂに固有のネットワーク上のアドレス（ネットワークアドレス）と当該端末２０Ａ，２０Ｂを利用するユーザの口座情報とを関連付けて記憶するアドレスＤＢ１４と、ネットワークアドレスの登録完了及び／又は決済処理完了の情報を端末側に電子メールで通知する電子メール処理部１３と、決済情報に基づいて口座間の決済処理を行う決済処理部１５と、ユーザの口座情報やパスワードなどを記憶する口座ＤＢ１６と、を備えている。
【００４９】
ここで、決済処理部１５は、端末２０Ａ，２０Ｂから送信された決済要求に含まれるネットワークアドレスがアドレスＤＢ１４に記憶されているか否かを判断し、当該ネットワークアドレスがアドレスＤＢ１４に記憶されている場合、決済要求に含まれる決済情報と口座ＤＢ１６に含まれる口座情報とに基づいて決済処理を行う。
【００５０】
また、Ｗｅｂ処理部１２は、端末２０Ａ，２０Ｂからのネットワークアドレス登録要求に応じて、当該端末２０Ａ，２０Ｂのネットワークアドレスを該端末２０Ａ，２０Ｂに通知する。
【００５１】
図３は、本発明の電子決済システムを利用した電子決済サービス（電子決済方法）を示すフローチャートである。図１〜図３において、先ず、電子決済サーバ１０のＷｅｂ処理部１２は、端末２０Ａ，２０Ｂのネットワークアドレスを当該端末２０Ａ，２０Ｂに通知する（ステップ３０１）。
【００５２】
端末２０Ａ，２０Ｂからのアドレス登録要求に応じて、Ｗｅｂ処理部１２は、ネットワークアドレスとユーザの口座情報を関連付けてアドレスＤＢ１４に登録する（ステップ３０２）。
【００５３】
次に、端末２０Ａ，２０Ｂからの決済要求に応じて（ステップ３０３）、決済処理部１５は、決済要求に含まれる端末２０Ａ，２０Ｂのネットワークアドレスと、アドレスＤＢ１４に登録されているネットワークアドレスの全部又は一部が一致するか否かを確認する（ステップ３０４）。
【００５４】
ネットワークアドレスのチェックがＯＫであれば（ステップ３０４）、端末２０Ａ，２０Ｂから支払金額、ユーザの口座に対応する暗証番号及び支払先の指定情報を決済情報として受け取り、決済情報に含まれる支払金額、暗証番号、支払先の指定情報及び端末のネットワークアドレスに対応するユーザの口座情報の確認を行い、残高不足や口座指定誤り、パスワードチェックなどの決済情報の確認を行う（ステップ３０５）。
【００５５】
決済処理部１５は、決済情報の確認がＯＫならば（ステップ３０５）、決済情報に含まれる支払金額、暗証番号、支払先の指定情報及び端末のネットワークアドレスに対応するユーザの口座情報に基づいて決済処理を行う（ステップ３０６）。
【００５６】
ここで、ステップ３０４及び／又はステップ３０５でチェックした内容に不具合がある場合、そのエラー内容に応じたエラー処理、例えば、残高不足の場合にはその旨の通知など、を行う（ステップ３０７）。
【００５７】
端末２０Ａ，２０Ｂでは、エラー通知に応じた情報の再入力が可能であり再入力するかどうかを決定する（ステップ３０８）。
【００５８】
以上、本発明の電子決済サーバ、電子決済システム及び電子決済方法について説明したが、上述した電子決済サーバ、電子決済システム及び決済方法をコンピュータなどで実現・実行可能なプログラムとすることもできる。
【図面の簡単な説明】
【００５９】
【図１】本発明の電子決済システムの一例を示す図である。
【図２】本発明の電子決済サーバの一例を示す図である。
【図３】本発明の電子決済方法の一例を示すフローチャートである。
【符号の説明】
【００６０】
１０  電子決済サーバ
１１  通信制御部
１２  Ｗｅｂ処理部
１３  電子メール処理部
１４  アドレスＤＢ
１５  決済処理部
１６  口座ＤＢ
２０Ａ  端末（携帯電話）
２０Ｂ  端末（ＰＣ）
３０  ネットワーク
４０Ａ，４０Ｂ  プロバイダ
【図１】
2004310743.tif 000003
【図２】
2004310743.tif 000004
【図３】
2004310743.tif 000005